(57)【特許請求の範囲】
【請求項１】
制御情報の同時送信を容易にする方法であって、
２つ以上のタイプの制御情報が同時にスケジューリングされたサブフレームを識別することと、
前記２つ以上のタイプの制御情報のうち、少なくとも２つのタイプの制御情報を検出することとを備え、
前記少なくとも２つのタイプの制御情報は、前記サブフレームでスケジュールされたスケジューリング要求とアクノレッジメント・メッセージ、前記サブフレームでスケジュールされたチャネル品質インジケータとスケジューリング要求、および、前記サブフレームでスケジュールされたアクノレッジメント・メッセージとスケジューリング要求とチャネル品質インジケータ、のうちの１つを含み、
前記方法はさらに、
前記２つ以上のタイプの制御情報を前記サブフレームに組み込むことを備え、ここで、前記組み込むことは、前記２つ以上のタイプの制御情報をともに符号化することを含み、前記ともに符号化することは、少なくとも１つの追加ビットを、特定のタイプの制御情報のために割り当てられたビットのセットへ追加することを含む、方法。
【請求項２】
前記組み込むことは、前記サブフレームにおける前記２つ以上のタイプの制御情報の同時送信を可能にするために、異なる周波数を用いることによってシングル・キャリア制約を緩和することを含む請求項１に記載の方法。
【請求項３】
前記２つ以上のタイプの制御情報のうちの１つを後のサブフレームに再スケジュールすることをさらに備える請求項１に記載の方法。
【請求項４】
前記２つ以上のタイプの制御情報のうちの１つをドロップすることをさらに備える請求項１に記載の方法。
【請求項５】
前記ともに符号化することは、前記スケジューリング要求と前記アクノレッジメント・メッセージとの両方が前記サブフレームにおいてスケジュールされた場合に、前記スケジューリング要求と前記アクノレッジメント・メッセージとをともに符号化することを含む請求項１に記載の方法。
【請求項６】
前記ともに符号化するために、高次変調スキームが適用される請求項５に記載の方法。
【請求項７】
前記ともに符号化することは、前記チャネル品質インジケータと前記スケジューリング要求との両方が前記サブフレームにおいてスケジュールされた場合に、前記チャネル品質インジケータと前記スケジューリング要求とをともに符号化することを含む請求項１に記載の方法。
【請求項８】
前記ともに符号化することは、前記チャネル品質インジケータと前記スケジューリング要求と前記アクノレッジメント・メッセージのすべてが前記サブフレームにおいてスケジュールされた場合に、前記チャネル品質インジケータと前記スケジューリング要求と前記アクノレッジメント・メッセージとをともに符号化することを含む請求項１に記載の方法。
【請求項９】
前記組み込むことは、前記２つ以上のタイプの制御情報を示すために、前記サブフレームにおいて基準シンボルを変調することを含む請求項１に記載の方法。
【請求項１０】
前記変調することは、前記スケジューリング要求を示すために、前記サブフレームにおいて基準シンボルを変調することを含む請求項９に記載の方法。
【請求項１１】
前記変調することは、前記アクノレッジメント・メッセージを示すために、前記サブフレームにおいて基準シンボルを変調することを含む請求項９に記載の方法。
【請求項１２】
前記２つ以上のタイプの制御情報を組み込んだサブフレームを送信することをさらに備える請求項１に記載の方法。
【請求項１３】
前記サブフレームは、シングル・キャリア周波数分割多元接続を用いて、アップリンク制御チャネルで送信される請求項１２に記載の方法。
【請求項１４】
単一のサブフレームにおける制御情報の同時送信のための装置であって、
２つ以上のタイプの制御情報がサブフレームにおいて同時にスケジュールされた場合を判定する衝突検出器と、
前記２つ以上のタイプの制御情報をともに符号化し、少なくとも１つの追加ビットを、特定のタイプの制御情報のために割り当てられたビットのセットへ追加するジョイント・エンコーダと、
前記２つ以上のタイプの制御情報のうちの１つのタイプを含むサブフレームにおける基準シンボルの変調を容易にする基準シンボル変調器とを備え、前記２つ以上のタイプの制御情報はスケジューリング要求を含む装置。
【請求項１５】
前記衝突検出器は、アクノレッジメント・メッセージと前記スケジューリング要求との前記サブフレームにおける共存を識別する請求項１４に記載の装置。
【請求項１６】
前記衝突検出器は、前記スケジューリング要求とチャネル品質インジケータとの共存を識別する請求項１４に記載の装置。
【請求項１７】
前記衝突検出器は、チャネル品質インジケータと前記スケジューリング要求とチャネル品質インジケータとの共存を識別する請求項１４に記載の装置。
【請求項１８】
前記ジョイント・エンコーダは、アクノレッジメント・メッセージと前記スケジューリング要求とが前記サブフレーム内に共存する場合に、前記アクノレッジメント・メッセージと前記スケジューリング要求とを符号化する請求項１４に記載の装置。
【請求項１９】
前記ジョイント・エンコーダは、前記スケジューリング要求とチャネル品質インジケータとが前記サブフレーム内に共存する場合に、前記スケジューリング要求と前記チャネル品質インジケータとをともに符号化する請求項１４に記載の装置。
【請求項２０】
前記基準シンボル変調器は、前記サブフレーム内に前記スケジューリング要求がチャネル品質インジケータとともに共存する場合、前記スケジューリング要求を示すために、前記サブフレームにおいて基準シンボルを変調する請求項１４に記載の装置。
【請求項２１】
前記ジョイント・エンコーダは、前記スケジューリング要求とアクノレッジメント・メッセージとチャネル品質インジケータとのすべてが前記サブフレーム内に共存する場合、前記スケジューリング要求と前記アクノレッジメント・メッセージと前記チャネル品質インジケータとをともに符号化する請求項１４に記載の装置。
【請求項２２】
前記ジョイント・エンコーダは、前記スケジューリング要求とチャネル品質インジケータとを符号化し、
前記基準シンボル変調器は、アクノレッジメント・メッセージを示すために基準シンボルを変調する請求項１４に記載の装置。
【請求項２３】
前記基準シンボル変調器は、前記スケジューリング要求を示すために、基準シンボルを変調する請求項１４に記載の装置。
【請求項２４】
アップリンク制御チャネルにおける制御情報の同時送信を容易にする無線通信装置であって、
２つ以上のタイプの制御情報が同時にスケジューリングされたサブフレームを識別する手段と、
単一のサブフレームでスケジュールされた２つ以上のタイプの制御情報のうち、少なくとも２つのタイプの制御情報を検出する手段とを備え、
前記少なくとも２つのタイプの制御情報は、スケジューリング要求とアクノレッジメント・メッセージ、チャネル品質インジケータとスケジューリング要求、および、アクノレッジメント・メッセージとスケジューリング要求とチャネル品質インジケータ、のうちの１つを含み、
前記無線通信装置はさらに、
前記２つ以上のタイプの制御情報を前記サブフレームに組み込む手段と、
前記アップリンク制御チャネルによって、前記単一のサブフレームで前記２つ以上のタイプの制御情報を送信する手段と備え、前記組み込む手段は、前記２つ以上のタイプの制御情報をともに符号化する手段を含み、前記ともに符号化する手段は、少なくとも１つの追加ビットを、特定のタイプの制御情報のために割り当てられたビットのセットへ追加する手段を含む、無線通信装置。
【請求項２５】
前記組み込む手段は、前記サブフレームにおいて前記２つ以上のタイプの制御情報の同時送信を可能にするために、異なる周波数を用いることによってシングル・キャリア制約を緩和する手段を含む請求項２４に記載の無線通信装置。
【請求項２６】
前記スケジューリング要求および前記アクノレッジメント・メッセージは、前記サブフレームにおいてともに符号化される請求項２４に記載の無線通信装置。
【請求項２７】
前記チャネル品質インジケータおよび前記スケジューリング要求は、前記サブフレームにおいてともに符号化される請求項２４に記載の無線通信装置。
【請求項２８】
前記スケジューリング要求、前記アクノレッジメント・メッセージ、および前記チャネル品質インジケータは、前記サブフレームにおいてともに符号化される請求項２４に記載の無線通信装置。
【請求項２９】
前記組み込む手段は、前記２つ以上のタイプの制御情報を示すために、前記サブフレームにおいて基準シンボルを変調する手段を含む請求項２４に記載の無線通信装置。
【請求項３０】
前記スケジューリング要求は、基準シンボルの変調によって示される請求項２９に記載の無線通信装置。
【請求項３１】
前記アクノレッジメント・メッセージは、基準シンボルの変調によって示される請求項２９に記載の無線通信装置。
【請求項３２】
少なくともコンピュータに対して以下をさせる実行可能な命令群を用いて符号化された記憶媒体であって、
前記命令群は、
２つ以上のタイプの制御情報が同時にスケジューリングされたサブフレームを識別することと、
前記サブフレームでスケジュールされた前記２つ以上のタイプの制御情報のうち、少なくとも２つのタイプの制御情報を検出することとを備え、
前記少なくとも２つのタイプの制御情報は、スケジューリング要求とアクノレッジメント・メッセージ、チャネル品質インジケータとスケジューリング要求、および、アクノレッジメント・メッセージとスケジューリング要求とチャネル品質インジケータ、のうちの１つを含み、
前記命令群はさらに、
前記２つ以上のタイプの制御情報をともに符号化することと、ここで、前記ともに符号化することは、少なくとも１つの追加ビットを、特定のタイプの制御情報のために割り当てられたビットのセットへ追加することを含む、
前記２つ以上のタイプの制御情報のうちの１つを示すために、前記サブフレームにおいて基準シンボルを変調することとを備える記憶媒体。
【発明の詳細な説明】
【関連出願に対する相互参照】
【０００１】
本出願は、２００８年２月４日に出願された"SIMULTANEOUS TRANSMISSION OF ACK, CQI AND SCHEDULING REQUEST IN COMMUNICATION SYSTEMS"と題された米国仮出願６１／０２６，０９１号の利益を主張する。上記出願の全体は、参照によって本明細書に組み込まれる。
【技術分野】
【０００２】
以下の記載は、一般に無線通信に関し、さらに詳しくは、アクノレッジメント・メッセージ、チャネル品質インジケータ、およびスケジューリング要求のサブフレームによる送信を容易にするために、基準信号変調を適用すること、および／または、ともに符号化することに関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、第３世代パートナシップ計画（３ＧＰＰ）、３ＧＰＰ２、３ＧＰＰロング・ターム・イボリューション（ＬＴＥ）等のような仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
無線通信システムはしばしば、有効範囲領域を提供する１または複数の基地局を使用する。一般的な基地局は、ブロードキャスト・サービス、マルチキャスト・サービス、および／またはユニキャスト・サービスのために、複数のデータ・ストリームを送信する。ここで、データ・ストリームは、モバイル・デバイスに対して興味のある独立した受信からなるデータのストリームでありうる。そのような基地局の有効範囲領域内のアクセス端末は、合成ストリームによって搬送される１つ、１つより多い、または全てのデータ・ストリームを受信するために適用されうる。同様に、モバイル・デバイスは、基地局あるいは他のモバイル・デバイスへデータを送信することができる。
【０００６】
ＭＩＭＯシステムは、データ送信のために、一般に、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００７】
例えばＬＴＥベースのシステムでは、アップリンク通信は、シングル・キャリア周波数分割多元接続（ＳＣ−ＦＤＭＡ）を適用する。例えば、スケジューリング要求、チャネル品質インジケータ、およびアクノレッジメント・メッセージのような制御情報は、一般には、あるシングル・キャリア特性に違反しなくては、単一のサブフレームで送信することはできない。しかしながら、衝突（例えば、同時に送信する必要）が避けられない状況が発生しうる。
【発明の概要】
【０００８】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたは全ての実施形態のスコープを線引きすることも意図されていない。その唯一の目的は、後に示されるより詳細な記載に対する前置きとして、簡略化された形式で１または複数の実施形態のいくつかの概念を表すことである。
【０００９】
１または複数の実施形態および対応する開示によれば、さまざまな態様が、単一のサブフレームにおける制御情報の同時通信に関して記載される。例えば、複数の情報タイプが同時にスケジュールされる場合でさえ、同時通信は、制御チャネルのシングル・キャリア波形を維持しうる。チャネル品質インジケータ、スケジューリング要求、およびアクノレッジメント・メッセージは、ともに符号化されうる。それに加えて、サブフレーム内の基準シンボルが変調され、スケジューリング要求またはアクノレッジメント・メッセージに関連付けられた値が示される。さらに、チャネル品質インジケータ、スケジューリング要求、またはアクノレッジメント・メッセージが同時にスケジュールされる状況では、１または複数がドロップされる。
【００１０】
関連する態様によれば、制御情報の同時通信を容易にする方法が提供される。この方法は、２つ以上のタイプの制御情報がスケジュールされたサブフレームを識別することを備える。この識別は、次のもののうち少なくとも１つの検出を備えうる。サブフレームにスケジュールされたスケジューリング要求およびアクノレッジメント・メッセージ。サブフレームにスケジュールされたチャネル品質インジケータおよびスケジューリング要求。あるいは、サブフレームにスケジュールされたアクノレッジメント・メッセージ、スケジューリング要求、およびチャネル品質インジケータ。この方法は、以下のもののうちの少なくとも１つによって、２つ以上のタイプの制御情報をサブフレームに組み込むことを含みうる。２つ以上のタイプの制御情報の同時通信を可能にするために、シングル・キャリア制約を緩和すること。２つ以上のタイプの制御情報をともに符号化すること。あるいは、２つ以上のタイプの制御情報のうちの少なくとも１つを示すために、サブフレームにおいて基準シンボルを変調すること。
【００１１】
別の態様は、単一のサブフレームにおける制御情報の同時送信を可能にする装置に関する。この装置は、サブフレームにおいて２つ以上のタイプの制御情報がスケジュールされた場合を識別する衝突検出器を含みうる。この衝突検出器は、次のもののうちの少なくとも１つを識別する。サブフレームにおけるアクノレッジメント・メッセージとスケジューリング要求との共存。スケジューリング要求とチャネル品質インジケータとの共存。あるいは、チャネル品質インジケータ、スケジューリング要求、およびチャネル品質インジケータの共存。この装置はさらに、少なくとも２つ以上のタイプの制御情報をともに符号化するジョイント・エンコーダを備えうる。さらに、この装置は、１つのタイプの制御情報を含めるためにサブフレームにおける基準シンボルの変調を容易にする基準シンボル変調器を含みうる。
【００１２】
また別の態様は、アップリンク制御チャネルでの制御情報の同時送信を容易にする無線通信装置に関する。この無線通信装置は、次のもののうちの少なくとも１つを検出する手段を含んでいる。単一のサブフレームにスケジュールされた２つ以上のタイプの制御情報。この検出する手段は、次のもののうちの少なくとも１つを識別する。アクノレッジメント・メッセージと同時にスケジュールされたスケジューリング要求。スケジューリング要求と同時にスケジュールされたチャネル品質インジケータ。あるいは、スケジューリング要求およびチャネル品質インジケータと同時にスケジュールされたアクノレッジメント・メッセージ。この無線通信装置はまた、２つ以上のタイプの制御情報をともにサブフレームへ符号化する手段を備える。さらに、この無線通信装置は、１つのタイプの制御情報を示すために、サブフレームにおいて基準シンボルを変調する手段を含みうる。さらに、この無線通信装置は、アップリンク制御チャネルによって、単一のサブフレーム内で２つ以上のタイプの制御情報を送信する手段を備えうる。
【００１３】
また、別の態様は、コンピュータ読取可能媒体を有しうるコンピュータ・プログラム製品に関する。このコンピュータ読取可能媒体は、少なくとも１つのコンピュータに対して、２つ以上のタイプの制御情報がスケジュールされたサブフレームを識別させるためのコードを含みうる。この識別は、次のもののうちの少なくとも１つの検出を備える。サブフレームにスケジュールされたスケジューリング要求およびアクノレッジメント・メッセージ。サブフレームにスケジュールされたチャネル品質インジケータおよびスケジューリング要求。あるいは、サブフレームにスケジュールされたアクノレッジメント・メッセージ、スケジューリング要求、およびチャネル品質インジケータ。さらに、このコンピュータ読取可能媒体は、少なくとも１つのコンピュータに対して、２つ以上のタイプの制御情報をともに符号化することをさせるためのコードを備えうる。それに加えて、このコンピュータ読取可能媒体は、少なくとも１つのコンピュータに対して、２つ以上のタイプの制御情報のうちの１つを示すために、サブフレームにおいて基準シンボルを変調させるためのコードを備えうる。
【００１４】
前述した目的および関連する目的を達成するために、１または複数の実施形態は、後に十分に記載され、特許請求の範囲において特に指摘されている特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのような全ての局面およびそれらの等価物を示すことが意図されている。
【図面の簡単な説明】
【００１５】
【図１】図１は、本明細書に記載されたさまざまな態様にしたがう無線通信システムの実例である。
【図２】図２は、態様にしたがって無線通信環境において適用される通信装置の実例である。
【図３】図３は、サブフレームにおけるレポート情報の同時通信を容易にする無線通信システムの実例である。
【図４】図４は、主題とする開示の態様にしたがうアップリンク制御チャネル構成およびリソース割当の実例である。
【図５】図５は、チャネル品質インジケータとスケジューリング要求の同時通信を容易にする方法の実例である。
【図６】図６は、アクノレッジメント・メッセージおよびスケジューリング要求の同時通信を容易にする方法の実例である。
【図７】図７は、アクノレッジメント・メッセージ、チャネル品質インジケータ、およびスケジューリング要求の同時通信を容易にする方法の実例である。
【図８】図８は、サブフレームにおけるさまざまなレポート情報の送信を容易にするシステムの実例である。
【図９】図９は、さまざまな情報の同時のレポートを含み、送信の設定および復号を容易にするシステムの実例である。
【図１０】図１０は、本明細書に記載されたさまざまなシステムおよび方法と共に適用されうる無線ネットワーク環境の実例である。
【図１１】図１１は、単一のサブフレームにおける複数の制御情報の同時通信を可能にするシステムの実例である。
【図１２】図１２は、主題とする開示の１または複数の態様を、少なくとも１つのコンピュータに対して実行させるように実行可能な命令群を用いて符号化されたコンピュータ読取可能媒体の実例である。
【発明を実施するための形態】
【００１６】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細無しで実現されうることが明からである。他の事例では、１または複数の実施形態の記載を容易にするために、周知の構成およびデバイスがブロック図形式で示される。
【００１７】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００１８】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局は、モバイル・デバイスと通信するために利用することができ、アクセス・ポイント、ノードＢ、イボルブド・ノードＢ（ｅＮｏｄｅ  ＢあるいはｅＮＢ）、基地トランシーバ局（ＢＴ）、あるいはその他の用語でも称されうる。
【００１９】
さらに、本明細書に記述されたさまざまな態様または特徴は、標準的なプログラミング技術および／またはエンジニアリング技術を用いた方法、装置、あるいは、製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２０】
本明細書に記載された技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ）のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。ＣＤＭＡ２０００およびＵＭＢは、「第３世代パートナシップ計画プロジェクト」（３ＧＰＰ２）と命名された組織からドキュメントに記述されている。
【００２１】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２２】
基地局１０２は、例えばモバイル・デバイス１１６およびモバイル・デバイス１２２のような１または複数のモバイル・デバイスと通信することができる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２３】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。例えば、これは、所望の方向に信号を発信するために、プリコーダを用いることによって提供されうる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１１６およびモバイル・デバイス１２２は、一例として、ピア・ツー・ビアまたはアド・ホック技術を使用して、互いにダイレクトに通信しうる。例によれば、システム１００は、複数入力複数出力（ＭＩＭＯ）通信システムでありうる。さらに、システム１００は、（例えば、順方向リンクや逆方向リンクのような）通信チャネルを分割するために、例えばＦＤＤ、ＴＤＤ等のような実質的に任意のタイプのデュプレクス技術を使用しうる。
【００２４】
実例によれば、モバイル・デバイス１１６およびモバイル・デバイス１２２は、基地局１０２へさまざまなレポート情報を送信するために、アップリンク制御チャネルを使用しうる。実例によれば、ロング・ターム・イボリューション（ＬＴＥ）ベースのシステムにおける物理アップリンク制御チャネル（ＰＵＣＣＨ）が利用されうる。モバイル・デバイス１１６およびモバイル・デバイス１２２は、ダウンリンクにおけるコードワード毎に、信号対干渉および雑音比を指定するチャネル品質インジケータ（ＣＱＩ）をレポートしうる。それに加えて、モバイル・デバイス１１６およびモバイル・デバイス１２２は、例えばアクノレッジメント（ＡＣＫ）メッセージおよび否定的アクノレッジメント（ＮＡＣＫ）メッセージのようなハイブリッド自動反復要求（ＨＡＲＱ）インジケータを提供しうる。ＡＣＫメッセージおよびＮＡＣＫメッセージは、ダウンリンクで送信されたパケットが受信され正しく復号されたこと、あるいは、受信または復号がなされなかったことを、基地局１０２に通知する。さらに、モバイル・デバイス１１６およびモバイル・デバイス１２２は、基地局１０２へスケジューリング要求（ＳＲ）を送信しうる。スケジューリング要求は、モバイル・デバイス１１６および／またはモバイル・デバイス１２２がスケジュールされることを望んでいる（例えば、データがアップリンクで送信される準備ができている）か、あるいは、スケジュールされないことを望んでいる（例えば、アップリンクで送信されるデータが存在しない）かを示すインジケーションである。１つの態様では、オン・オフ・キーイングがＨＡＲＱ構成（例えばＡＣＫ／ＮＡＣＫの設計）に基づきうる。例えば、長さ７のシーケンスは、長さ３と長さ４とからなる２つの直交シーケンスに分割されうる。さらに、（例えば、モバイル・デバイス１１６であるか、モバイル・デバイス１２２である）他のモバイル・デバイスからのＡＣＫ／ＮＡＣＫ送信との両立性を保証するために、異なるサイクリック・シフトおよび／または直交カバーが、スケジューリング要求およびＡＣＫ／ＮＡＣＫメッセージに割り当てられうる。
【００２５】
図２に移って、無線通信環境内で適用される通信装置２００が例示される。通信装置２００は、基地局またはその一部であるか、モバイル・デバイスまたはその一部であるか、無線通信環境で送信されたデータを受信する実質的に任意の通知装置でありうる。通信装置２００は、レポート情報を伝送するためにさまざまな制御チャネル・フォーマットのうちの１つを適用するために、通信装置２００の設定を容易にする設定モジュール２０２を含みうる。レポート情報は、アクノレッジメント・メッセージ（例えば、ＡＣＫメッセージあるいはＮＡＣＫメッセージ）、チャネル品質インジケータ（ＣＱＩ）、および／またはスケジューリング要求（ＳＲ）を含みうる。態様によれば、そのようなレポート情報は、別々に（例えば別の時間に）伝送されうる。例えば、スケジューリング要求および／またはＣＱＩは、高次レイヤ設定され、別の時間に（例えば、制御チャネルの別のサブフレームで）レポートされるようにスケジュールされうる。しかしながら、そのような情報は、同じサブフレームに共存するように要求されうる。さらに、アクノレッジメント・メッセージは、実質的に任意の時間において送信を要求しうる。例えば、適切なＨＡＲＱ動作を可能にするために、パケットが受信された場合は常に、あるいは受信されない（例えば、正しく復号されない）場合にも常に、アクノレッジメント・メッセージが送信機に送られる必要がある。したがって、ＣＱＩ、スケジューリング要求、およびアクノレッジメント・メッセージが、単一のサブフレームにおける同時通信を要求する事例が発生しうる。
【００２６】
ＬＴＥベースのシステムでは、ダウンリンクにおいて直交周波数分割多元接続（ＯＦＤＭＡ）が適用され、アップリンクにおいてシングル・キャリア周波数分割多元接続（ＳＣ−ＦＤＭＡ）が適用される。１つの態様では、ＳＣ−ＦＤＭＡは、ＯＦＤＭＡに比べて低いピーク対平均比（ＰＡＲ）により、アップリンクにおいて適用される。アップリンクにおいてシングル・キャリア波形を維持するために、通信装置２００は、アクノレッジメント・メッセージ、スケジューリング要求、およびＣＱＩのうちの複数が、単一のサブフレームでの送信を要求する場合には常に、複数の制御チャネル・フォーマットのうちの１つを適用しうる。設定モジュール２０２は、設定情報にしたがって、これらフォーマットのうちの１つを適用するために、通信装置の設定を容易にする。態様によれば、設定情報は、無線通信システムの基地局（図示せず）またはその他のエンティティ（例えば、コア・ネットワーク・エンティティ）から取得されうる。通信装置２００はまた、スケジューリング要求、チャネル品質インジケータ、およびアクノレッジメント・メッセージのうちの少なくとも２つが送信されるべきサブフレームを識別する衝突検出器２０４を含む。衝突検出器２０４は特に、スケジューリング要求とアクノレッジメントが衝突する（たとえば、単一のサブフレームで同時に送信されるようにスケジュールされた）シナリオ、スケジューリング要求とＣＱＩが衝突するシナリオ、および、スケジューリング要求とアクノレッジメントとＣＱＩが衝突するシナリオを識別する。
【００２７】
通信装置２００は、アクノレッジメント・メッセージ、ＣＱＩ、および／またはスケジューリング要求のうちの２つ以上をともに符号化することを容易にするジョイント・エンコーダ２０６を含む。例えば、一般にＣＱＩレポートのために割り当てられたビットのセットに、追加のビットが加えられうる。追加のビットは、アクノレッジメント・メッセージとスケジューリング要求をレポートするために利用されうる。ビットのセット全体は、ＣＱＩを符号化するために適用されるものと実質的に同じメカニズム（例えば、（２０，Ａ）線型符号。ここで、Ａは、ビット数）によってサブフレームへ符号化されうる。符号化されたビットのセット全体は、制御チャネルで、単一のサブフレーム内で送信されうる。さらに、この通信装置２００は、制御チャネルで送信された基準シンボル（ＲＳ）を変調することを容易にする基準シンボル変調器２０８を含んでいる。例示によれば、単一入力アンテナ構成（例えば、ダウンリンクにおける１つのコードワード）の場合、アクノレッジメント・メッセージを搬送するために、単一のビットが適用されうる。したがって、基準シンボル変調器２０８は、ＡＣＫメッセージを示すために１つの値（例えば、１）を用いて基準シンボルを変調し、ＮＡＣＫメッセージを示すために別の値（例えば、−１）を用いて基準シンボルを変調しうる。複数入力複数出力（ＭＩＭＯ）アンテナ構成の場合、おのおののストリームまたはコードワードについて、個別のアクノレッジメント・メッセージが必要とされうる。例えば、２つのコードワードの場合、おのおののコードワードは、ＡＣＫメッセージまたはＮＡＣＫメッセージを独立して必要とするので、４つの組み合わせが考えられる。したがって、少なくとも２ビットの情報が必要とされる。基準シンボル変調器２０６は、さまざまな状態に応じるために、追加の値を用いて基準シンボルを変調しうる。例えば、基準シンボル変調器２０８は、第１のコードワードでＡＣＫを示すために第１の値（例えば、１）を用いて、第２のコードワードでＡＣＫを示すために第２の値（例えば、ｊ）を用いて、第２のコードワードでＮＡＣＫを示すために第３の値（例えば、−ｊ）を用いて、第１のコードワードでＮＡＣＫを示すために第４の値（例えば、−１）を用いて変調しうる。
【００２８】
前述したように、通信装置２００は、アップリンク制御チャネルでシングル・キャリア波形を維持するために、単一のサブフレームで、スケジューリング要求、アクノレッジメント・メッセージ、およびチャネル品質インジケータを送信しうる。一例において、通信装置２００は、スケジューリング要求（ＳＲ）およびアクノレッジメント・メッセージを同時に送信しうる。態様によれば、ＳＲに応じるために、アクノレッジメント・メッセージのコンステレーション次数（order）が増加されうる。例えば、単一ユーザ複数入力複数出力（ＳＵ−ＭＩＭＯ）システムでは、３ビット（例えば、アクノレッジメントのための２ビットと、ＳＲのための１ビット）の送信を可能にする高次変調スキームが適用されうる。例えば、３ビットを送信するために、８ＰＳＫ（フェーズ・シフト・キーイング）が適用され、もって、スケジューリング要求とアクノレッジメント・メッセージがともに符号化されうる。ＳＩＭＯシステムの場合には、アクノレッジメントを示すために１つのビットしか必要とされないので、高次変調スキームは必要とされない。アクノレッジメント・メッセージおよびＳＲは、スケジューリング要求送信のためのオン／オフ検出を利用しながら、スケジューリング要求のために割り当てられたリソースで送信されうる。別の態様では、情報は、上述したような高次変調スキーム（例えば、８ＰＳＫ）を用いてＨＡＲＱ割当されたリソースで送信されうる。さらに、この例で記載された送信スキームは、長サイクリック・プレフィクス・ヌメロロジー（numerology）と短サイクリック・プレフィクス・ヌメロロジーとの両方で適用されうる。
【００２９】
別の例によれば、通信装置２００は、単一のサブフレームでＳＲおよびＣＱＩを送信しうる。例えば、ＳＲとＣＱＩとは、（例えば、ジョイント・エンコーダ２０６によって）ともに符号化されうる。さらに、基準シンボルが、ＳＲ値（例えば、スケジュールされるべき要求、または、スケジュールされるべきではない要求）を用いて変調されうる。態様によれば、ＳＲとＣＱＩは、ＣＱＩレポートのために割り当てられたリソースで同時に送信されうる。
【００３０】
別の例によれば、通信装置２００は、単一のサブフレームで、アクノレッジメント・メッセージ（ＡＣＫ）、ＳＲ、およびＣＱＩを同時に送信しうる。１つの態様では、ＳＲ、ＣＱＩ、およびアクノレッジメント・メッセージが、ジョイント・エンコーダ２０６によってともに符号化されうる。別の態様によれば、ともに符号化することは、ＳＲとＣＱＩ、あるいは、ＡＣＫとＣＱＩに適用され、基準シンボルが、ＡＣＫまたはＳＲそれぞれとともに変調されうる。レポート情報を送信することは、ＣＱＩ送信のために割り当てられたスロットでなされうる。
【００３１】
レポート情報の衝突がサブフレームにおいて生じると、レポート情報のうちの１または複数の部分が、遅れ（例えば、ドロップされ）、後になって送信されうることが認識されるべきである。例えば、ＳＲとＡＣＫが衝突する場合、ＳＲが遅れ、後から送信されうる。ＳＲ、ＡＣＫ、およびＣＱＩが衝突する場合、あるいは、ＣＱＩとＳＲが衝突する場合、ＳＲとＣＱＩのうちの１つがドロップされうる。そのようなシナリオでは、送信機と受信機との間の適切なＨＡＲＱ動作を保証するためにＡＣＫが優先する。
【００３２】
別の態様によれば、制御チャネルに課されたシングル・キャリア制約が緩和されうる。制約が緩和されることによって、制御チャネルにおいてシングル・キャリア特性に違反することができるようになる。例えば、シングル・キャリア制約を緩和することによって、ＳＲ、ＡＣＫ、およびＣＱＩのうちの２つ以上が、同じサブフレームであるがそれぞれ異なる周波数で送信されうる。
【００３３】
さらに、図示していないが、通信装置２００は、サブフレームにおけるレポート情報の衝突を識別することと、レポート情報をともに符号化することと、基準シンボルを変調することと、特定の構成を適用するようにデバイスを設定することと、に関連する命令群を保持するメモリを含みうることが認識されるべきである。さらに、メモリは、特定のサブフレームで衝突しているレポート情報をドロップすることと、ドロップされた情報を、後のサブフレームで送信することと、に関する命令群を保持しうる。さらに、通信装置２００は、命令群（例えば、メモリ内に保持された命令群、別のソースから取得された命令群）を実行することに関連して適用されるプロセッサを含みうる。
【００３４】
図３を参照して、サブフレームにおけるレポート情報の同時通信を容易にする無線通信システム３００が例示される。このシステム３００は、ユーザ機器３０４（および／または、任意の数の他の、あるいは異なるデバイス（図示せず））と通信しうる基地局３０２を含む。基地局３０２は、順方向リンク・チャネルすなわちダウンリンク・チャネルで、ユーザ機器３０４に情報を送信しうる。さらに、基地局３０２は、逆方向リンク・チャネルすなわちアップリンク・チャネルで、ユーザ機器３０４から情報を受信しうる。さらに、システム３００は、ＭＩＭＯシステムでありうる。さらに、システム３００は、ＯＦＤＭＡ無線ネットワーク（例えば、３ＧＰＰ、３ＧＰＰ２、３ＧＰＰ  ＬＴＥ等）で動作しうる。さらに、例において、図示され以下で説明される基地局３０２における構成要素および機能は、逆に、ユーザ機器３０４にも存在しうる。図示された構成は、説明の容易さのために、これらの構成要素を除外している。
【００３５】
基地局３０２は、１または複数のモバイル・デバイスのアップリンク・チャネルにおけるスケジューリング、１つのモバイル・デバイスからの情報がアップリンクで送信されることになっているサブフレームのスケジューリング等を提供するスケジューラ３０６を含みうる。例えば、スケジューラ３０６は、レポート情報を別のサブフレームで送信するように特定のモバイル・デバイス（例えば、ユーザ機器３０４）をスケジュールしうる。例えば、スケジューラ３０６は、スケジューリング要求（ＳＲ）およびチャネル品質インジケータ（ＣＱＩ）を別のサブフレームで送信するようにユーザ機器３０４を設定しうる。
【００３６】
ＬＴＥベースのシステムでは、アップリンクは、ＳＣ−ＦＤＭＡを適用する。したがって、例えばスケジューリング要求（ＳＲ）、ＣＱＩ、およびアクノレッジメント・メッセージ（ＡＣＫ）のような制御チャネル情報（例えば、レポート情報）は、一般には単一のサブフレームでは送信されない。しかしながら、衝突（例えば、同時に送信する必要性）が生じ、制御チャネル情報の同時送信を達成するために、さまざまな制御チャネル構成が適用されうる。基地局３０２は、衝突シナリオにおいて適用する制御チャネル構成を決定するアップリンク設定セレクタ３０８を含む。例えば、アップリンク設定セレクタ３０８は、ＡＣＫとＳＲが衝突する場合、ＳＲとＣＱＩが衝突する場合、あるいは、ＡＣＫとＳＲとＣＱＩが衝突する場合、図２を参照して上述した１または複数の制御チャネル構成を選択しうる。態様によれば、選択された構成は、ユーザ機器３０４へ伝送され、ユーザ機器３０４は、制御情報をレポートできるようになる。基地局３０２はさらに、ユーザ機器３０４によって送信された制御情報を受信し判読するアップリンク制御デコーダ３１０を含む。アップリンク制御デコーダ３１０は、制御チャネル情報のサブフレームを取得し、アップリンク設定セレクタ３０８によって選択された制御チャネル構成にしたがって、サブフレームからＡＣＫ、ＳＲ、および／またはＣＱＩを抽出しうる。
【００３７】
ユーザ機器３０４は、レポート情報を伝送するさまざまな制御チャネル・フォーマットのうちの１つを適用して通信装置２００の設定を容易にする設定モジュール３１２を含む。レポート情報は、限定される訳ではないが、例えばＳＲ、ＡＣＫ、およびＣＱＩのようなデータを含みうる。設定モジュール３１２は、アップリンク設定セレクタ３０８によって決定された１または複数の制御チャネル構成または構造を適用するようにユーザ機器３０４を設定しうる。さらに、ユーザ機器３０４は、制御チャネル情報またはレポート情報が同時に送信されるべき場合を識別する衝突検出器３１４を含みうる。例えば、衝突検出器３１４は、単一のサブフレームで、ＳＲとＡＣＫが送信されるべきであるか、ＳＲとＣＱＩが送信されるべきであるか、あるいは、ＡＣＫとＳＲとＣＱＩが送信されるべきであるかを確認しうる。衝突が生じた場合、アップリンク設定セレクタ３０８によって選択され、かつ、設定モジュール３１２によって設定された制御チャネル構成にしたがって、ユーザ機器３０４は、制御チャネル情報を送信するためにジョイント・エンコーダ３１６および基準シンボル変調器３１６を適用しうる。ジョイント・エンコーダ３１６は、アクノレッジメント・メッセージ、ＣＱＩ、および／または、スケジューリング要求のうちの２つ以上をともに符号化しうる。基準シンボル変調器３１８は、アクノレッジメント・メッセージまたはスケジューリング要求を伝送するために、制御チャネルで送信された基準シンボル（ＲＳ）を変調しうる。設定モジュール３１２、衝突検出器３１４、ジョイント・エンコーダ３１６、および基準シンボル変調器３１８は、図２を参照して前述した設定モジュール２０２、衝突検出器２０４、ジョイント・エンコーダ２０６、および基準シンボル変調器２０８と実質的に同一であり、実質的に同一の機能を実行しうることが認識されるだろう。
【００３８】
図４は、主題とする開示の態様にしたがうアップリンク制御チャネル構成４００およびリソース割当を例示する。説明の目的のために、この例は、送信持続時間において、１サブフレームあるいは２スロットに等しい（例えば、１ミリ秒の）時間ディメンションおよび周波数ディメンションにおけるリソース・ブロックを例示する。周波数軸に沿ったおのおののブロックはトーンを示す。時間軸に沿ったおのおののブロックはシンボルを示す。図４は例示目的のためであり、本明細書で開示された主題は、この例の範囲に限定されないことが認識されるだろう。
【００３９】
構成４００は、チャネル品質インジケータ（ＣＱＩ）情報、基準シンボル（ＲＳ）、およびその他のデータに割り当てられたシンボルとトーンの組み合わせを用いてサブフレームを示している。本明細書に記載された１または複数の態様にしたがって、構成４００は、アクノレッジメント情報、スケジューリング要求、およびＣＱＩ情報の同時送信を容易にするために適用されうる。例えば、ともに符号化することは、スケジューリング要求、アクノレッジメント・メッセージ、およびＣＱＩ情報について適用されうる。ともに符号化する場合、ＣＱＩ情報に割り当てられたおのおののリソース・ブロック（例えば、シンボルとトーンの組み合わせ）は、組み込まれたアクノレッジメント・メッセージとスケジューリング要求のうちの１つまたは両方を含みうる。別の態様によれば、アクノレッジメント情報またはスケジューリング要求を伝送するために、基準シンボルが変調されうる。アクノレッジメント情報（例えば、ＡＣＫまたはＮＡＣＫ）を示すため、あるいは、スケジューリング要求（例えば、スケジュールされるべきである要求、あるいは、スケジュールされるべきでない要求）を示すために、基準シンボルに割り当てられたリソース・ブロックが、特定の値によって変調されうる。
【００４０】
図５乃至図７を参照して、制御チャネルまたはレポート情報を同時に送信することに関する方法が説明される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００４１】
図５に移って、チャネル品質インジケータおよびスケジューリング要求の同時送信を容易にする方法５００が例示される。方法５００は、例えば、シングル・キャリア波形を維持するためにアップリンク制御チャネルの単一のサブフレームで制御チャネル情報を送信するモバイル・デバイスによって適用されうる。ブロック５０２では、チャネル品質インジケータおよびスケジューリング要求が取得される。チャネル品質インジケータ（ＣＱＩ）およびスケジューリング要求（ＳＲ）は、単一のサブフレームで送信するようにスケジュールされうる。ブロック５０４では、この送信から、ＣＱＩまたはＳＲをドロップするか否かの判定がなされる。ＣＱＩあるいはＳＲの何れかをドロップするとの判定がなされた場合、方法５００はブロック５０６に進み、ＳＲまたはＣＱＩのうちの１つが、送信からドロップされる。ブロック５０８では、残りのデータが、割り当てられたリソースを用いて、割り当てられたスロットで、サブフレームで送信される。ブロック５０４において、ＳＲもＣＱＩもドロップしないとの判定がなされた場合、方法５００はブロック５１０に進み、ＳＲとＣＱＩとの両方が、割り当てられたリソースで送信される。例えば、ＳＲおよびＣＱＩは、ともに符号化され、チャネル品質送信のために割り当てられたリソースで送信されうる。さらに、ＳＲを伝送するために、単一のサブフレームで送信された基準シンボルもまた変調される。
【００４２】
図６を参照して、アクノレッジメント・メッセージとスケジューリング要求の同時送信を容易にする方法６００が例示される。方法６００は、例えば、シングル・キャリア波形を維持するためにアップリンク制御チャネルの単一のサブフレームで制御チャネル情報を送信するモバイル・デバイスによって適用されうる。ブロック６０２では、アクノレッジメント・メッセージ（例えば、ＡＣＫまたはＮＡＣＫ）およびスケジューリング要求が取得される。アクノレッジメント・メッセージおよびスケジューリング要求は、単一のサブフレームで送信されるようにスケジュールされうる。ブロック６０４では、この送信からスケジューリング要求をドロップするか否かの判定がなされる。ＨＡＲＱ処理の効率的な動作のために、アクノレッジメント・メッセージは、他の制御チャネルに対して優先度を持つ。スケジューリング要求をドロップせよとの判定がなされると、方法６００はブロック６０６へ進み、送信からスケジューリング要求がドロップされる。ブロック６０８では、ＡＣＫインジケータまたはＮＡＣＫインジケータのために割り当てられたリソースを用いて、サブフレームで、アクノレッジメント・メッセージが送信される。ブロック６０４において、スケジューリング要求をドロップしないと判定されると、方法６００は、ブロック６１０へ進み、スケジューリング要求とアクノレッジメント・メッセージとの両方が、割り当てられたリソースで送信される。例えば、アクノレッジメント・メッセージとスケジューリング要求との両方を送信するために、８ＰＳＫ（フェーズ・シフト・キーイング）のような変調スキームが適用されうる。
【００４３】
図７に移って、アクノレッジメント・メッセージ、チャネル品質インジケータ、およびスケジューリング要求の同時通信を容易にする方法７００が例示される。方法７００は、例えば、シングル・キャリア波形を維持するためにアップリンク制御チャネルの単一のサブフレームで制御チャネル情報を送信するモバイル・デバイスによって適用されうる。方法７００はブロック７０２で始まり、チャネル品質インジケータ（ＣＱＩ）、アクノレッジメント・メッセージ、およびスケジューリング要求（ＳＲ）が、単一のサブフレームにおける送信について取得されうる。ブロック７０４では、ＣＱＩおよびＳＲのうちの１つをドロップする（すなわち、送信しない）か否かに関する判定がなされる。ドロップする場合、方法７００は、ブロック７０６に進み、ＣＱＩおよびＳＲのうちの１つが、後に（例えば、後のサブフレームで）送信されるためにフラグされる。ブロック７０８では、残りの情報（例えば、アクノレッジメント・メッセージとＣＱＩ、あるいは、アクノレッジメントとＳＲ）が、ともに符号化されることによって、あるいは基準シンボルを変調することによって送信されうる。例えば、アクノレッジメント・メッセージとＣＱＩがともに符号化され、ＣＱＩに割り当てられたリソースで送信されうる。それに加えて、サブフレームにおける基準シンボルが変調され、アクノレッジメント・メッセージが示される。さらに、ＣＱＩがドロップされると、ＳＲとアクノレッジメント・メッセージが、図２および図６を参照して前述したようにして同時送信されうる。
【００４４】
ブロック７０４において、ＣＱＩまたはＳＲをドロップするとの判定がなされない場合、方法７００はブロック７１０に進み、ＣＱＩ、ＳＲ、およびアクノレッジメント・メッセージが、ＣＱＩに割り当てられたリソースで同時に送信されうる。一例において、ＳＲ、アクノレッジメント・メッセージ、およびＣＱＩはともに符号化されうる。別の例によれば、ＳＲおよびＣＱＩがともに符号化され、基準シンボルが変調されて、アクノレッジメント・メッセージが示される。さらに、アクノレッジメント・メッセージとＣＱＩがともに符号化され、基準シンボルが変調されて、ＳＲが示される。
【００４５】
本明細書に記載された１または複数の態様によれば、衝突（例えば、２つ以上の制御情報タイプが単一のサブフレームでスケジュールされた場合）を検出すること、衝突を取り除くために制御情報タイプをドロップまたは遅延させること、制御情報を同時に送信するために制御チャネル構成を選択すること等に関して推論がなされうることが認識されるだろう。本明細書で使用されるように、「推論する」または「推論」なる用語は一般に、イベントおよび／またはデータによって取得されたような観察のセットから、システム、環境、および／または、ユーザの状態を推論したり、あるいはそれらに関する推理を行うプロセスを称する。推論は、特定の文脈または動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。データによって示される観察およびイベントが時間的に近接して相関付けられているか否かに関わらず、これら観察が１またはいくつかのソースに由来しているかに関わらず、新たなイベントまたは動作が、観察のセット、および／または、格納されたイベント・データから構築される。
【００４６】
図８は、開示された主題の態様にしたがって、無線通信システムにおける基地局（例えば、基地局１０２）に関連付けられた通信を容易にするモバイル・デバイス８００の例示である。モバイル・デバイス８００は、例えば、システム１００、システム２００、システム３００、方法５００、方法６００、および方法７００に関連して本明細書においてさらに記載されたようなモバイル・デバイス１１６、ユーザ機器３０４、あるいは通信装置２００と同一または類似しているか、および／または、同一の機能または類似の機能を備えうることが認識されるだろう。
【００４７】
モバイル・デバイス８００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機８０２を備えうる。受信機８０２は、例えばＭＭＳＥ受信機であり、受信したシンボルを復調し、それらをチャネル推定のためにプロセッサ８０６へ送る復調器８０４を備えうる。プロセッサ８０６は、受信機８０２によって受信された情報を分析し、および／または、送信機８０８による送信のための情報を生成することに特化されたプロセッサ、モバイル・デバイス８００の１または複数の構成要素を制御するプロセッサ、および／または、受信機８０２によって受信された情報を分析することと、送信機８０８による送信のための情報を生成することと、モバイル・デバイス８００のうちの１または複数の構成要素を制御することとをすべて行うプロセッサでありうる。モバイル・デバイス８００はさらに、例えば基地局（例えば、１０２、３０２）、他のモバイル・デバイス（例えば、１２２）等へ信号（例えば、データ）を送信することを容易にするために、送信機８０８と連携して動作する変調器８１０を備えうる。
【００４８】
１つの態様では、プロセッサ８０６は、基地局１０２またはその他のネットワーク・エンティティによって選択された１または複数の制御チャネル構成を適用するようにモバイル・デバイス８００を設定する設定モジュール２０２に接続されうる。別の態様では、プロセッサ８０６は、例えば、スケジューリング要求、アクノレッジメント・メッセージ、あるいはチャネル品質インジケータのうちの２つ以上が単一のサブフレームで送信されるべきである場合のような衝突を識別する衝突検出器２０４に接続されうる。さらにプロセッサ８０６は、アクノレッジメント・メッセージ、ＣＱＩ、および／または、スケジューリング要求のうちの２つ以上を単一のサブフレームにおいてともに符号化することを容易にするジョイント・エンコーダ２０６に接続されうる。プロセッサ８０６はまた、制御チャネルで単一のサブフレームにおいて送信された基準シンボルを変調することを容易にする基準シンボル変調器２０８に接続されうる。例えば、基準シンボルは、スケジューリング要求またはアクノレッジメント・メッセージを示すために変調されうる。
【００４９】
モバイル・デバイス８００はそれに加えて、プロセッサ８０６に動作可能に接続されたメモリ８１２を備えうる。このメモリ８１２は、送信されるべきデータ、受信したデータ、利用可能なチャネルに関する情報、分析された信号および／または干渉強度に関連付けられたデータ、割り当てられたチャネル、電力、レート等に関連する情報、および、チャネルの推定およびこのチャネルを介した通信のために利用可能なその他任意の情報を格納しうる。メモリ８１２はさらに、（例えば、パフォーマンス・ベース、キャパシティ・ベース等での）チャネルの推定および／または利用に関連付けられたアルゴリズムおよび／またはプロトコルを格納しうる。さらに、メモリ８１２は、モバイル・デバイス８００によってサービス提供される１または複数のベアラに関連する優先ビット・レート、最大ビット・レート、キュー・サイズ等を保持しうる。
【００５０】
本明細書に記載されたデータ・ストア（例えば、メモリ８１２）は、揮発性メモリ、不揮発性メモリでありうるか、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。本明細書で開示されたシステムおよび方法のメモリ８１２は、限定されることなく、これらのタイプのメモリおよびその他任意の適切なタイプのメモリを含むことが意図される。
【００５１】
設定モジュール２０２、衝突検出器２０４、ジョイント・エンコーダ２０６、基準シンボル変調器２０８、およびメモリ８１２は、例えば、システム２００およびシステム３００に関連して本明細書により十分に説明されたそれぞれの構成要素と同一または類似しているか、あるいは、同一の機能または類似の機能を備えうることが認識および理解されるだろう。設定モジュール２０２、衝突検出器２０４、ジョイント・エンコーダ２０６、基準シンボル変調器２０８、およびメモリ８１２は、所望に応じて、（図示するように）スタンド・アローン・ユニットであるか、プロセッサ８０６内に含まれうるか、他の構成要素および実質的にこれら任意の適切な組み合わせ内に組み込まれうることが認識および理解されるだろう。
【００５２】
図９は、開示された主題の態様にしたがって、無線通信システムにおけるモバイル・デバイスに関連付けられた通信を容易にするシステム９００の実例である。システム９００は、基地局１０２（例えばアクセス・ポイント）を備えうる。基地局１０２は、複数の受信アンテナ９０４を介して１または複数のモバイル・デバイス１１６から信号を受信しうる受信機９０２と、送信アンテナ９０８を介して１または複数のモバイル・デバイス１１６に信号（例えば、データ）を送信しうる送信機９０６とを含みうる。受信機９０２は、受信アンテナ９０４から情報を受信する。また、受信した情報を復調しうる復調器９１０に動作可能に接続されている。復調されたシンボルは、受信機９０２によって受信された情報の分析、および／または、送信機９０６による送信のための情報の生成に特化されたプロセッサ、基地局１０２の１または複数の構成要素を制御するプロセッサ、および／または、受信機９０２によって受信された情報の分析、送信機９０６による送信のための情報の生成、および、基地局１０２の１または複数の構成要素の制御のすべてを行うプロセッサ、でありうるプロセッサ９１２によって分析されうる。基地局１０２はまた、例えばモバイル・デバイス１１６や他のデバイス等へ信号（例えば、データ）を送信することを容易にするために、送信機９０６と連携して動作する変調器９１４を備えうる。
【００５３】
プロセッサ９１２は、１または複数のモバイル・デバイスのアップリンク・チャネルでのスケジューリングと、モバイル・デバイスからの情報がアップリンクで送信されるべきサブフレームのスケジューリング等を提供しうるスケジューラ３０６に接続されうる。別の態様では、プロセッサ９１２は、衝突シナリオで適用する制御チャネル構成を決定するアップリンク設定セレクタ３０８に接続されうる。プロセッサ９１２はまた、モバイル・デバイス１１６によって送信された制御情報を受信し判読するアップリンク制御デコーダ３１０に接続されうる。
【００５４】
基地局１０２はそれに加えて、プロセッサ９１２に動作可能に接続されたメモリ９１６を備えうる。このメモリ９１６は、送信されるべきデータ、受信したデータ、利用可能なチャネルに関する情報、分析された信号および／または干渉強度に関連付けられたデータ、割り当てられたチャネル、電力、レート等に関連する情報、および、チャネルの推定およびこのチャネルを介した通信のために利用可能なその他任意の情報を格納しうる。メモリ９１６はさらに、（例えば、パフォーマンス・ベース、キャパシティ・ベース等での）チャネルの推定および／または利用に関連付けられたアルゴリズムおよび／またはプロトコルを格納しうる。
【００５５】
本明細書に記載されたメモリ９１６は、揮発性メモリあるいは不揮発性メモリでありうるか、あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。本明細書に開示されたシステムおよび方法におけるメモリ９１６は、限定される訳ではないが、これらおよびその他任意の適切なタイプのメモリを備えていることが意図される。
【００５６】
スケジューラ３０６、アップリンク設定セレクタ３０８、アップリンク制御デコーダ３１０、およびメモリ９１６は、例えば、システム３００に関連して本明細書により十分に説明されたようなそれぞれの構成要素と同一または類似しているか、あるいは、同一の機能または類似の機能を備えうることが認識および理解されるだろう。スケジューラ３０６、アップリンク設定セレクタ３０８、アップリンク制御デコーダ３１０、およびメモリ９１６は、所望に応じて、（図示するように）スタンド・アローン・ユニットであるか、プロセッサ９１２内に含まれうるか、他の構成要素および実質的にこれら任意の適切な組み合わせ内に組み込まれうることが認識および理解されるだろう。
【００５７】
図１０は、無線通信システム１０００の例を示す。無線通信システム１０００は、簡潔さの目的で、１つの基地局１０１０と１つのモバイル・デバイス１０５０とを示している。しかしながら、システム１０００は、１より多い基地局、および／または、１より多いモバイル・デバイスを含むことができ、これら追加の基地局および／またはモバイル・デバイスは、以下に説明する基地局１０１０およびモバイル・デバイス１０５０の例と実質的に同じでも、別のものでもありうることが認識されるべきである。さらに、基地局１０１０および／またはモバイル・デバイス１０５０は、その間の無線通信を容易にするために、本明細書に記載されたシステム（図１、２、３、８、９）、チャネル構成（図４）、および／または方法（図５−７）を適用しうることが認識されるべきである。
【００５８】
基地局１０１０では、多くのデータ・ストリームのためのトラフィック・データが、データ・ソース１０１２から送信（ＴＸ）データ・プロセッサ１０１４へ提供される。一例によれば、おのおののデータ・ストリームが、それぞれのアンテナを介して送信される。ＴＸデータ・プロセッサ１０１４は、トラフィック・データ・ストリームをフォーマットし、このデータ・ストリームのために選択された特定の符合化スキームに基づいて符号化し、インタリーブして、符合化されたデータを提供する。
【００５９】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス１０５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１０３０によって実行または提供される指示によって決定されうる。
【００６０】
データ・ストリームの変調シンボルは、（例えば、ＯＦＤＭのために）変調シンボルを処理するＴＸ  ＭＩＭＯプロセッサ１０２０に提供される。ＴＸ  ＭＩＭＯプロセッサ１０２０は、その後、ＮＴ個の変調シンボル・ストリームを、ＮＴ個の送信機（ＴＭＴＲ）１０２２ａ乃至１０２２ｔへ提供する。さまざまな実施形態において、ＴＸ  ＭＩＭＯプロセッサ１０２０は、データ・ストリームのシンボル、および、そのシンボルが送信されるアンテナへ、ビームフォーミング重みを適用する。
【００６１】
おのおのの送信機１０２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１０２２ａ乃至１０２２ｔからのＮＴ個の変調信号はそれぞれ、ＮＴ個のアンテナ１０２４ａ乃至１０２４ｔへ送信されうる。
【００６２】
モバイル・デバイス１０５０では、送信された変調された信号が、ＮＲ個のアンテナ１０５２ａ乃至１０５２ｒによって受信され、おのおののアンテナ１０５２からの受信信号が、受信機（ＲＣＶＲ）１０５４ａ乃至１０５４ｒそれぞれに提供される。おのおのの受信機１０５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６３】
ＲＸデータ・プロセッサ１０６０は、ＮＲ個の受信機１０５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１０６０は、検出されたおのおののシンボル・ストリームを復調し、デインタリーブし、復号して、そのデータ・ストリームのためのトラフィック・データを復元する。ＲＸデータ・プロセッサ１０６０による処理は、基地局１０１０におけるＴＸ  ＭＩＭＯプロセッサ１０２０およびＴＸデータ・プロセッサ１０１４によって実行されるものと相補的である。
【００６４】
プロセッサ１０７０は、上述したように、どの事前符合化行列を使用するのかを定期的に決定する。さらに、プロセッサ１０７０は、行列インデクス部およびランク値部を備えた逆方向リンク・メッセージを規定することができる。
【００６５】
逆方向リンク・メッセージは、通信リンクおよび／または受信されたデータ・ストリームに関するさまざまなタイプの情報を備えうる。逆方向リンク・メッセージは、ＴＸデータ・プロセッサ１０３８によって処理され、変調器１０８０によって変調され、送信機１０５４ａ乃至１０５４ｒによって調整され、基地局１０１０へ送り戻される。なお、ＴＸデータ・プロセッサ１０３８はまた、多くのデータ・ストリームに関するトラフィック・データをデータ・ソース１０３６から受信する。
【００６６】
基地局１０１０では、モバイル・デバイス１０５０からの変調信号が、アンテナ１０２４によって受信され、受信機１０２２によって調整され、復調器１０４０によって復調され、ＲＸデータ・プロセッサ１０４２によって処理されることにより、モバイル・デバイス１０５０によって送信された逆方向リンク・メッセージが抽出される。さらに、プロセッサ１０３０は、ビームフォーミング重みを決定するためにどの事前符合化行列を使用するかを決定するために、この抽出されたメッセージを処理する。
【００６７】
プロセッサ１０３０およびプロセッサ１０７０は、基地局１０１０およびモバイル・デバイス１０５０それぞれにおける動作を指示（例えば、制御、調整、管理等）する。プロセッサ１０３０およびプロセッサ１０７０はそれぞれ、プログラム・コードおよびデータを格納するメモリ１０３２およびメモリ１０７２に関連付けられうる。プロセッサ１０３０およびプロセッサ１０７０はまた、アップリンクおよびダウンリンクそれぞれのための周波数およびインパルス応答推定値を導出する計算をも実行する。
【００６８】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００６９】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データ等は、メモリ共有、メッセージ引渡し、トークン引渡、ネットワーク送信等を含む任意の適切な手段を用いて引渡、転送、あるいは送信されうる。
【００７０】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７１】
図１１に示すように、制御情報の複数のインスタンスの単一のサブフレームにおける同時送信を可能にするシステム１１００が例示される。例えば、システム１１００は、基地局、モバイル・デバイス１１６等の中に少なくとも部分的に存在しうる。システム１１００は、プロセッサによって、ソフトウェアを用いて、あるいは、これらの組み合わせ（例えば、ファームウェア）によって実現される機能を表す機能ブロックを含むものとして表されることが認識されるだろう。システム１１００は、連携して動作しうる電子構成要素の論理グループ１１０２を含む。例えば、論理グループ１１０２は、サブフレームにおいて同時にスケジュールされた制御情報を検出するための電子構成要素１１０４を含みうる。したがって、例えば、スケジューリング要求およびアクノレッジメント・メッセージが同時にスケジュールされうる。さらに、スケジューリング要求およびチャネル品質インジケータが同時にスケジュールされうる。さらには、チャネル品質インジケータ、アクノレッジメント・メッセージ、およびスケジューリング要求が、サブフレーム内に共存しうる。さらに、論理グループ１１０２は、２つ以上のタイプの制御情報をともに符号化するための電子構成要素１１０６を備えうる。例えば、スケジューリング要求およびチャネル品質インジケータがともに符号化され、アクノレッジメント・メッセージ、チャネル品質インジケータ、およびスケジューリング要求がともに符号化されうる。論理グループ１１０２は、制御情報を示すために基準シンボルを変調するための電子構成要素１１０８を含みうる。基準シンボルは、スケジューリング要求および／またはアクノレッジメント・メッセージを示すために変調されうる。論理グループ１１０２はまた、アップリンク制御チャネルで同時にスケジュールされた制御情報を送信するための電子構成要素１１１０を含みうる。さらに、システム１１００は、電子構成要素１１０４、１１０６、１１０８、１１１０に関連付けられた機能を実行するための命令群を保持するメモリ１１１２を含みうる。メモリ１１１２の外側にあると示されているが、電子構成要素１１０４、１１０６、１１０８、１１１０のうちの１または複数は、メモリ１１１２内に存在しうることも理解されるだろう。
【００７２】
図１２は、少なくとも１つのコンピュータに対して主題とする開示の１または複数の態様を実行させるための実行可能な命令群を用いて符号化されたコンピュータ読取可能媒体１２００を示す。コンピュータ読取可能媒体１２００は、限定される訳ではないが、磁気記憶装置（例えばハード・ディスク、フロッピー（登録商標）ディスク、磁気ストリップ等）、光ディスク（例えば、コンパクト・ディスク（ＣＤ）、デジタル・バーサタイル・ディスク（ＤＶＤ）等）、スマート・カード、およびフラッシュ・メモリ・デバイス（例えば、ＥＰＲＯＭ、カード、スティック、キー・ドライブ等）を含みうる。さらに、少なくとも１つのコンピュータは、モバイル・デバイス（例えば、モバイル・デバイス１１６）および基地局（例えば、基地局１０２）を含みうる。コンピュータ読取可能媒体１２００は、コンピュータに対して、制御情報が同時にスケジュールされたサブフレームを識別させるように実行可能な命令群１２０２を含みうる。制御情報は、アクノレッジメント・メッセージ、チャネル品質インジケータ、およびスケジューリング要求を含みうる。コンピュータ読取可能媒体１２００はまた、コンピュータに対して、複数のタイプの制御情報のうち少なくとも２つがサブフレームでスケジュールされていることを検出させるように実行可能な命令群１２０４を含みうる。例えば、これら実行可能な命令群１２０４は、次のもののうちの１つを検出しうる。スケジューリング要求およびアクノレッジメント・メッセージ、チャネル品質インジケータおよびスケジューリング要求、ならびに、スケジューリング要求、アクノレッジメント・メッセージ、およびチャネル品質インジケータ。さらに、コンピュータ読取可能媒体１２００は、コンピュータに対して、基準シンボルを変調させるように実行可能な命令群１２０６を用いて符号化されうる。基準シンボルは、例えば、スケジューリング要求またはアクノレッジメント・メッセージを示すために変調されうる。コンピュータ読取可能媒体１２００はまた、コンピュータに対して、２つ以上のタイプの制御情報をともに符号化させるための実行可能な命令群１２０８を用いて符号化されうる。
【００７３】
上述したものは、１または複数の実施形態の一例しか含んでいない。もちろん、上述した実施形態を説明する目的で、構成要素または方法の考えられる全ての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
以下に、本願出願の当初の特許請求の範囲に記載された発明を付記する。
［Ｃ１］
制御情報の同時通信を容易にする方法であって、
２つ以上のタイプの制御情報が同時にスケジューリングされたサブフレームを識別することと、
前記２つ以上のタイプの制御情報のうち、少なくとも２つのタイプ制御情報を検出することとを備え、
前記少なくとも２つのタイプの制御情報は、前記サブフレームでスケジュールされたスケジューリング要求とアクノレッジメント・メッセージ、前記サブフレームでスケジュールされたチャネル品質インジケータとスケジューリング要求、および、前記サブフレームでスケジュールされたアクノレッジメント・メッセージとスケジューリング要求とチャネル品質インジケータ、のうちの１つを含み、
前記方法はさらに、
前記２つ以上のタイプの制御情報を前記サブフレームに組み込むことを備える方法。
［Ｃ２］
前記組み込むことは、前記２つ以上のタイプの制御情報の同時送信を可能にするために、単一キャリア制約を緩和することを含むＣ１に記載の方法。
［Ｃ３］
前記２つ以上のタイプの制御情報のうちの１つを後のサブフレームに再スケジュールすることをさらに備えるＣ１に記載の方法。
［Ｃ４］
前記２つ以上のタイプの制御情報のうちの１つをドロップすること
をさらに備えるＣ１に記載の方法。
［Ｃ５］
前記組み込むことは、前記２つ以上のタイプの制御情報をともに符号化することを含むＣ１に記載の方法。
［Ｃ６］
前記ともに符号化することは、前記スケジューリング要求と前記アクノレッジメント・メッセージとの両方が前記サブフレームにおいてスケジュールされた場合に、前記スケジューリング要求と前記アクノレッジメント・メッセージとをともに符号化することを含むＣ５に記載の方法。
［Ｃ７］
前記ともに符号化するために、高次変調スキームが適用されるＣ６に記載の方法。
［Ｃ８］
前記ともに符号化することは、前記チャネル品質インジケータと前記スケジューリング要求との両方が前記サブフレームにおいてスケジュールされた場合に、前記チャネル品質インジケータと前記スケジューリング要求とをともに符号化することを含むＣ５に記載の方法。
［Ｃ９］
前記ともに符号化することは、前記チャネル品質インジケータと前記スケジューリング要求と前記アクノレッジメント・メッセージのすべてが前記サブフレームにおいてスケジュールされた場合に、前記チャネル品質インジケータと前記スケジューリング要求と前記アクノレッジメント・メッセージとをともに符号化することを含むＣ５に記載の方法。
［Ｃ１０］
前記ともに符号化することは、前記チャネル品質インジケータと前記アクノレッジメント・メッセージとをともに符号化することを含むＣ５に記載の方法。
［Ｃ１１］
前記組み込むことは、前記２つ以上のタイプの制御情報を示すために、前記サブフレームにおいて基準シンボルを変調することを含むＣ１に記載の方法。
［Ｃ１２］
前記変調することは、前記スケジューリング要求を示すために、前記サブフレームにおいて基準シンボルを変調することを含むＣ１１に記載の方法。
［Ｃ１３］
前記変調することは、前記アクノレッジメント・メッセージを示すために、前記サブフレームにおいて基準シンボルを変調することを含むＣ１１に記載の方法。
［Ｃ１４］
前記２つ以上のタイプの制御情報を組み込んだサブフレームを送信すること
をさらに備えるＣ１に記載の方法。
［Ｃ１５］
前記サブフレームは、シングル・キャリア周波数分割多元接続を用いて、アップリンク制御チャネルで送信されるＣ１４に記載の方法。
［Ｃ１６］
単一のサブフレームにおける制御情報の同時送信のための装置であって、
２つ以上のタイプの制御情報がサブフレームにおいて同時にスケジュールされた場合を判定する衝突検出器と、
前記２つ以上のタイプの制御情報をともに符号化するジョイント・エンコーダと、
前記２つ以上のタイプの制御情報のうちの１つのタイプを含むサブフレームにおける基準シンボルの変調を容易にする基準シンボル変調器と
を備える装置。
［Ｃ１７］
前記衝突検出器は、アクノレッジメント・メッセージとスケジューリング要求との前記サブフレームにおける共存を識別するＣ１６に記載の装置。
［Ｃ１８］
前記衝突検出器は、スケジューリング要求とチャネル品質インジケータとの共存を識別するＣ１６に記載の装置。
［Ｃ１９］
前記衝突検出器は、チャネル品質インジケータとスケジューリング要求とチャネル品質インジケータとの共存を識別するＣ１６に記載の装置。
［Ｃ２０］
前記ジョイント・エンコーダは、アクノレッジメント・メッセージとスケジューリング要求とが前記サブフレーム内に共存する場合に、前記アクノレッジメント・メッセージと前記スケジューリング要求とを符号化するＣ１６に記載の装置。
［Ｃ２１］
前記ジョイント・エンコーダは、スケジューリング要求とチャネル品質インジケータとが前記サブフレーム内に共存する場合に、前記スケジューリング要求と前記チャネル品質インジケータとをともに符号化するＣ１６に記載の装置。
［Ｃ２２］
前記基準シンボル変調器は、前記サブフレーム内にスケジューリング要求がチャネル品質インジケータとともに共存する場合、前記スケジューリング要求を示すために、前記サブフレームにおいて基準シンボルを変調するＣ１６に記載の装置。
［Ｃ２３］
前記ジョイント・エンコーダは、スケジューリング要求とアクノレッジメント・メッセージとチャネル品質インジケータとのすべてが前記サブフレーム内に共存する場合、前記スケジューリング要求と前記アクノレッジメント・メッセージと前記チャネル品質インジケータとをともに符号化するＣ１６に記載の装置。
［Ｃ２４］
前記ジョイント・エンコーダは、スケジューリング要求とチャネル品質インジケータとを符号化し、
前記基準シンボル変調器は、アクノレッジメント・メッセージを示すために基準シンボルを変調するＣ１６に記載の装置。
［Ｃ２５］
前記ジョイント・エンコーダは、アクノレッジメント・メッセージとチャネル品質インジケータとを符号化し、
前記基準シンボル変調器は、前記スケジューリング要求を示すために、基準シンボルを変調するＣ１６に記載の装置。
［Ｃ２６］
アップリンク制御チャネルにおける制御情報の同時通信を容易にする無線通信装置であって、
２つ以上のタイプの制御情報が同時にスケジューリングされたサブフレームを識別する手段と、
単一のサブフレームでスケジュールされた２つ以上のタイプの制御情報のうち、少なくとも２つのタイプの制御情報を検出する手段とを備え、
前記少なくとも２つのタイプの制御情報は、スケジューリング要求とアクノレッジメント・メッセージ、チャネル品質インジケータとスケジューリング要求、および、アクノレッジメント・メッセージとスケジューリング要求とチャネル品質インジケータ、のうちの１つを含み、
前記無線通信装置はさらに、
前記２つ以上のタイプの制御情報を前記サブフレームに組み込む手段と、
前記アップリンク制御チャネルによって、前記単一のサブフレームで前記２つ以上のタイプの制御情報を送信する手段と
備える無線通信装置。
［Ｃ２７］
前記組み込む手段は、前記２つ以上のタイプの制御情報の同時通信のために、シングル・キャリア制約を緩和する手段を含むＣ２６に記載の無線通信装置。
［Ｃ２８］
前記組み込む手段は、前記２つ以上のタイプの制御情報をともに符号化する手段を含むＣ２６に記載の無線通信装置。
［Ｃ２９］
前記スケジューリング要求および前記アクノレッジメント・メッセージは、前記サブフレームにおいてともに符号化されるＣ２８に記載の無線通信装置。
［Ｃ３０］
前記チャネル品質インジケータおよび前記スケジューリング要求は、前記サブフレームにおいてともに符号化されるＣ２８に記載の無線通信装置。
［Ｃ３１］
前記スケジューリング要求、前記アクノレッジメント・メッセージ、および前記チャネル品質インジケータは、前記サブフレームにおいてともに符号化されるＣ２８に記載の無線通信装置。
［Ｃ３２］
前記組み込む手段は、前記２つ以上のタイプの制御情報を示すために、前記サブフレームにおいて基準シンボルを変調する手段を含むＣ２６に記載の無線通信装置。
［Ｃ３３］
前記スケジューリング情報は、基準シンボルの変調によって示されるＣ３２に記載の無線通信装置。
［Ｃ３４］
前記アクノレッジメント・メッセージは、基準シンボルの変調によって示されるＣ３２に記載の無線通信装置。
［Ｃ３５］
少なくともコンピュータに対して以下をさせる実行可能な命令群を用いて符号化された記憶媒体であって、
前記命令群は、
２つ以上のタイプの制御情報が同時にスケジューリングされたサブフレームを識別することと、
前記２つ以上のタイプの制御情報のうち、少なくとも２つのタイプの制御情報を検出することとを備え、
前記少なくとも２つのタイプの制御情報は、スケジューリング要求とアクノレッジメント・メッセージ、チャネル品質インジケータとスケジューリング要求、および、アクノレッジメント・メッセージとスケジューリング要求とチャネル品質インジケータ、のうちの１つを含み、
前記命令群はさらに、
前記２つ以上のタイプの制御情報をともに符号化することと、
前記２つ以上のタイプの制御情報のうちの１つを示すために、前記サブフレームにおいて基準シンボルを変調することと
を備える記憶媒体。
【図１】
0005437275.tif 000002
【図２】
0005437275.tif 000003
【図３】
0005437275.tif 000004
【図４】
0005437275.tif 000005
【図５】
0005437275.tif 000006
【図６】
0005437275.tif 000007
【図７】
0005437275.tif 000008
【図８】
0005437275.tif 000009
【図９】
0005437275.tif 000010
【図１０】
0005437275.tif 000011
【図１１】
0005437275.tif 000012
【図１２】
0005437275.tif 000013